(57)【要約】【課題】  ＯＳＤ画像が表示画像からはみ出すのを抑制することが可能なプロジェクタ及びその画像形成方法を提供する。【解決手段】  画素領域４１Ａ内におけるＯＳＤ画像を形成する位置として、表示画像形成領域４１Ｅの中の９つの位置Ｐ１〜Ｐ９のいずれかが、ＯＳＤ画像の内容に応じて選択されるようになっている。ここで、位置Ｐ１，Ｐ３，Ｐ７，Ｐ９は、表示画像形成領域４１Ｅの各角部の近傍、位置Ｐ２，Ｐ４，Ｐ６，Ｐ８は、表示画像形成領域４１Ｅの各辺の中点の近傍であり、位置Ｐ５は、表示画像形成領域４１Ｅの中央である。つまり、各位置Ｐ１〜Ｐ９は、表示画像形成領域４１Ｅに対する相対位置として定められており、表示画像形成領域４１Ｅのサイズや形状、位置に応じて、画素領域４１Ａに対する位置（例えば、画素領域４１Ａの左上角部Ａ０を原点としたＸＹ座標における座標値）は異なる。【選択図】  図６
2006295361.tif 000002
【特許請求の範囲】
【請求項１】
入力した画像信号に応じた第１の画像に、第２の画像を重畳して投写可能なプロジェクタであって、
光を変調可能な変調可能領域を有し、光源から射出された光を前記変調可能領域で変調して画像を形成する光変調装置と、
前記変調可能領域内で前記第１の画像を形成するための第１の形成領域のサイズ又は形状を変更する形成領域変更手段と、
前記変調可能領域内に、前記第２の画像を形成するための第２の形成領域を設定する画像合成手段と、
前記光変調装置で形成された画像を拡大投写する投写レンズと、
を備え、前記画像合成手段は、前記形成領域変更手段によって変更された前記第１の形成領域のサイズ又は形状に応じて、前記変調可能領域内における前記第２の形成領域の位置を変更することを特徴とするプロジェクタ。
【請求項２】
請求項１に記載のプロジェクタであって、
前記形成領域変更手段によってサイズ又は形状が変更された前記第１の形成領域が前記変調可能領域内を移動可能な場合に、前記第１の形成領域を移動する形成領域移動手段を備え、
前記画像合成手段は、前記形成領域移動手段によって変更された前記第１の形成領域の位置に応じて、前記変調可能領域内における前記第２の形成領域の位置を変更することを特徴とするプロジェクタ。
【請求項３】
請求項１又は２に記載のプロジェクタであって、前記画像合成手段は、さらに、前記第２の形成領域のサイズに応じて前記第２の形成領域の位置を変更することを特徴とするプロジェクタ。
【請求項４】
請求項１〜３のいずれか１項に記載のプロジェクタであって、前記形成領域変更手段は、台形歪を補正するために前記第１の形成領域を台形形状とすることが可能であり、前記画像合成手段は、前記台形形状の第１の形成領域上に矩形領域を定め、前記矩形領域のサイズ又は形状、或いは位置に応じて、前記変調可能領域内における前記第２の形成領域の位置を変更することを特徴とするプロジェクタ。
【請求項５】
光を変調可能な変調可能領域を有し、光源から射出された光を前記変調可能領域で変調して画像を形成する光変調装置を備え、入力した画像信号に応じた第１の画像に、第２の画像を重畳して投写可能なプロジェクタの画像形成方法であって、
前記変調可能領域内で前記第１の画像を形成するための第１の形成領域のサイズ又は形状を変更する形成領域変更工程と、
前記変調可能領域内に、前記第２の画像を形成するための第２の形成領域を設定する画像合成工程と、
を備え、前記画像合成工程は、前記形成領域変更工程にて変更された前記第１の形成領域のサイズ又は形状に応じて、前記変調可能領域内における前記第２の形成領域の位置を変更することを特徴とするプロジェクタの画像形成方法。
【請求項６】
請求項５に記載のプロジェクタの画像形成方法であって、
前記形成領域変更工程にてサイズ又は形状が変更された前記第１の形成領域が前記変調可能領域内を移動可能な場合に、前記第１の形成領域を移動する形成領域移動工程を備え、
前記画像合成工程は、前記形成領域移動工程にて変更された前記第１の形成領域の位置に応じて、前記変調可能領域内における前記第２の形成領域の位置を変更することを特徴とするプロジェクタの画像形成方法。
【請求項７】
請求項５又は６に記載のプロジェクタの画像形成方法であって、前記画像合成工程は、さらに、前記第２の形成領域のサイズに応じて、前記第２の形成領域の位置を変更することを特徴とするプロジェクタの画像形成方法。
【請求項８】
請求項５〜７のいずれか１項に記載のプロジェクタの画像形成方法であって、前記形成領域変更工程は、台形歪を補正するために前記第１の形成領域を台形形状とすることが可能であり、前記画像合成工程は、前記台形形状の第１の形成領域上に矩形領域を定め、前記矩形領域のサイズ又は形状、或いは位置に応じて、前記変調可能領域内における前記第２の形成領域の位置を変更することを特徴とするプロジェクタの画像形成方法。
【発明の詳細な説明】
【技術分野】
【０００１】
本発明は、画像信号を入力し、前記画像信号に応じた画像を投写するプロジェクタ及びその画像形成方法に関する。
【背景技術】
【０００２】
光源から射出された光を、光変調装置により画像信号に応じて変調し、この変調光を投写レンズにてスクリーン上に拡大投写して画像を表示するプロジェクタが知られている（例えば、特許文献１参照）。
特許文献１に記載のプロジェクタは、ユーザの操作によるズーム指定等に基づいて、投写される画像のサイズを電子ズーム機能（レンズではなく電子回路を利用して画面のサイズ調整を行うもの）を用いて調整可能になっている。
電子ズーム機能は、入力した画像信号に所定の処理を施し、光変調装置における光を変調可能な領域（以下、変調可能領域という）内で、画像信号に応じた画像（以下、表示画像という）を形成する領域（以下、表示画像形成領域という）のサイズを変更して、スクリーン上に投写される投写画像のサイズを変更可能とするものである。
【０００３】
【特許文献１】特開２００２−３６５７２０号公報
【発明の開示】
【発明が解決しようとする課題】
【０００４】
しかしながら、プロジェクタの投写画像に、画質調整等を行う際のメニューや各種状態等を表す画像（以下、ＯＳＤ（オンスクリーンディスプレイ）画像という）を含める際には、一般に、変調可能領域の所定の位置でＯＳＤ画像を形成するようになっている。このため、投写画像が拡大された状態と縮小された状態とでは、表示画像に対するＯＳＤ画像の位置が異なることになり、ＯＳＤ画像が表示画像からはみ出してしまう場合が生じてしまう。特に、表示画像形成領域が変調可能領域内を移動可能な場合には、表示画像形成領域の位置によっては、ＯＳＤ画像が表示画像から大きくはみ出してしまうため、ＯＳＤ画像の視認性が低下してしまうという問題を有している。
【０００５】
本発明は上記問題を鑑みてなされたものであり、その目的は、ＯＳＤ画像が表示画像からはみ出すのを抑制することが可能なプロジェクタ及びその画像形成方法を提供することにある。
【課題を解決するための手段】
【０００６】
本発明のプロジェクタは、入力した画像信号に応じた第１の画像に、第２の画像を重畳して投写可能なプロジェクタであって、光を変調可能な変調可能領域を有し、光源から射出された光を前記変調可能領域で変調して画像を形成する光変調装置と、前記変調可能領域内で前記第１の画像を形成するための第１の形成領域のサイズ又は形状を変更する形成領域変更手段と、前記変調可能領域内に、前記第２の画像を形成するための第２の形成領域を設定する画像合成手段と、前記光変調装置で形成された画像を拡大投写する投写レンズとを備え、前記画像合成手段は、前記形成領域変更手段によって変更された前記第１の形成領域のサイズ又は形状に応じて、前記変調可能領域内における前記第２の形成領域の位置を変更することを特徴とする。
【０００７】
このプロジェクタによれば、画像合成手段が、形成領域変更手段によって変更された第１の形成領域のサイズ又は形状に応じて、変調可能領域内における第２の形成領域の位置を変更するため、第１の形成領域のサイズや形状に拘わらず、第１の形成領域に対する第２の形成領域の位置を略固定とすることが可能となる。この結果、第２の画像が第１の画像からはみ出すのを抑制することが可能となる。
【０００８】
このプロジェクタにおいて、前記形成領域変更手段によってサイズ又は形状が変更された前記第１の形成領域が前記変調可能領域内を移動可能な場合に、前記第１の形成領域を移動する形成領域移動手段を備え、前記画像合成手段は、前記形成領域移動手段によって変更された前記第１の形成領域の位置に応じて、前記変調可能領域内における前記第２の形成領域の位置を変更することが望ましい。
【０００９】
このプロジェクタによれば、画像合成手段が、形成領域移動手段によって変更された第１の形成領域の位置に応じて、変調可能領域内における第２の形成領域の位置を変更するため、第１の形成領域の位置に拘わらず、第１の形成領域に対する第２の形成領域の位置を略固定とすることが可能となる。この結果、第２の画像が第１の画像からはみ出すのを抑制することが可能となる。
【００１０】
このプロジェクタにおいて、前記画像合成手段は、さらに、前記第２の形成領域のサイズに応じて前記第２の形成領域の位置を変更することが望ましい。
【００１１】
このプロジェクタによれば、画像合成手段が、第２の形成領域のサイズに応じて、変調可能領域内における第２の形成領域の位置を変更するため、第２の画像が第１の画像からはみ出すのをさらに抑制することが可能となる。
【００１２】
このプロジェクタにおいて、前記形成領域変更手段は、台形歪を補正するために前記第１の形成領域を台形形状とすることが可能であり、前記画像合成手段は、前記台形形状の第１の形成領域上に矩形領域を定め、前記矩形領域のサイズ又は形状、或いは位置に応じて、前記変調可能領域内における前記第２の形成領域の位置を変更することが望ましい。
【００１３】
このプロジェクタによれば、台形形状の第１の形成領域上に定めた矩形領域のサイズや形状、位置に応じて変調可能領域内における第２の形成領域の位置を変更するため、第１の形成領域が台形形状の場合でも、第１の形成領域が矩形形状の場合と同様の手順で第２の形成領域の位置を決定することが可能となる。この結果、台形歪を補正する場合でも、容易に第２の形成領域の位置を決定することが可能となる。
【００１４】
本発明のプロジェクタの画像形成方法は、光を変調可能な変調可能領域を有し、光源から射出された光を前記変調可能領域で変調して画像を形成する光変調装置を備え、入力した画像信号に応じた第１の画像に、第２の画像を重畳して投写可能なプロジェクタの画像形成方法であって、前記変調可能領域内で前記第１の画像を形成するための第１の形成領域のサイズ又は形状を変更する形成領域変更工程と、前記変調可能領域内に、前記第２の画像を形成するための第２の形成領域を設定する画像合成工程とを備え、前記画像合成工程は、前記形成領域変更工程にて変更された前記第１の形成領域のサイズ又は形状に応じて、前記変調可能領域内における前記第２の形成領域の位置を変更することを特徴とする。
【００１５】
このプロジェクタの画像形成方法によれば、画像合成工程にて、形成領域変更工程で変更された第１の形成領域のサイズ又は形状に応じて、変調可能領域内における第２の形成領域の位置を変更するため、第１の形成領域のサイズや形状に拘わらず、第１の形成領域に対する第２の形成領域の位置を略固定とすることが可能となる。この結果、第２の画像が第１の画像からはみ出すのを抑制することが可能となる。
【００１６】
このプロジェクタの画像形成方法において、前記形成領域変更工程にてサイズ又は形状が変更された前記第１の形成領域が前記変調可能領域内を移動可能な場合に、前記第１の形成領域を移動する形成領域移動工程を備え、前記画像合成工程は、前記形成領域移動工程にて変更された前記第１の形成領域の位置に応じて、前記変調可能領域内における前記第２の形成領域の位置を変更することが望ましい。
【００１７】
このプロジェクタの画像形成方法によれば、画像合成工程が、形成領域移動工程にて変更された第１の形成領域の位置に応じて、変調可能領域内における第２の形成領域の位置を変更するため、第１の形成領域の位置に拘わらず、第１の形成領域に対する第２の形成領域の位置を略固定とすることが可能となる。この結果、第２の画像が第１の画像からはみ出すのを抑制することが可能となる。
【００１８】
このプロジェクタの画像形成方法において、前記画像合成工程は、さらに、前記第２の形成領域のサイズに応じて、前記第２の形成領域の位置を変更することが望ましい。
【００１９】
このプロジェクタの画像形成方法によれば、画像合成工程が、第２の形成領域のサイズに応じて、変調可能領域内における第２の形成領域の位置を変更するため、第２の画像が第１の画像からはみ出すのをさらに抑制することが可能となる。
【００２０】
このプロジェクタの画像形成方法において、前記形成領域変更工程は、台形歪を補正するために前記第１の形成領域を台形形状とすることが可能であり、前記画像合成工程は、前記台形形状の第１の形成領域上に矩形領域を定め、前記矩形領域のサイズ又は形状、或いは位置に応じて、前記変調可能領域内における前記第２の形成領域の位置を変更することが望ましい。
【００２１】
このプロジェクタの画像形成方法によれば、台形形状の第１の形成領域上に定めた矩形領域のサイズや形状、位置に応じて変調可能領域内における第２の形成領域の位置を変更するため、第１の形成領域が台形形状の場合でも、第１の形成領域が矩形形状の場合と同様の手順で第２の形成領域の位置を決定することが可能となる。この結果、台形歪を補正する場合でも、容易に第２の形成領域の位置を決定することが可能となる。
【００２２】
また、上述したプロジェクタ及びその画像形成方法が、プロジェクタに備えられたコンピュータ（ＣＰＵ）を用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２３】
以下、本発明の実施形態に係るプロジェクタについて、図面を参照して説明する。
図１は、本実施形態に係るプロジェクタの概略構成を示すブロック図である。
本実施形態のプロジェクタ１は、光源から射出される光を、外部から入力される画像信号に応じて変調して光学像を形成し、形成した光学像をスクリーン上に拡大投写するものであり、図１に示すように、光学装置２と制御装置３とを有している。
【００２４】
図２は、光学装置２の詳細を説明するための構成図であり、光源から射出された光が、スクリーンに至るまでの光路を示している。
図２に示すように、光学装置２は、照明光学系１０と、色光分離光学系２０と、リレー光学系３０と、光変調装置としての３つの液晶ライトバルブ４０Ｒ，４０Ｇ，４０Ｂと、クロスダイクロイックプリズム５０と、投写レンズ６０とを備えている。
【００２５】
照明光学系１０は、光源１１と、第１のレンズアレイ１２と、第２のレンズアレイ１３と、偏光変換素子１４と、重畳レンズ１５とを備えており、光源１１から射出された光線束は、微小なレンズ１２ａがマトリクス状に配置された第１のレンズアレイ１２によって多数の微小な光線束に分割される。第２のレンズアレイ１３及び重畳レンズ１５は、分割された光線束のそれぞれが、照明対象である３つの液晶ライトバルブ４０Ｒ，４０Ｇ，４０Ｂの全体を照射するように備えられている。このため、各光線束が液晶ライトバルブ４０Ｒ，４０Ｇ，４０Ｂで重畳され、液晶ライトバルブ４０Ｒ，４０Ｇ，４０Ｂの全体がほぼ均一に照明される。
【００２６】
偏光変換素子１４は、光源１１からの非偏光な光を液晶ライトバルブ４０Ｒ，４０Ｇ，４０Ｂで効率よく利用可能とするため、特定の偏光方向を有する偏光光に揃える機能を有している。照明光学系１０を射出した偏光光は、色光分離光学系２０に入射する。
【００２７】
色光分離光学系２０は、照明光学系１０から射出された光を、波長域の異なる３色の光に分離する。第１のダイクロイックミラー２１は、略赤色の光を透過させるとともに、透過する光よりも短波長の光を反射する。第１のダイクロイックミラー２１を透過した赤色光Ｒは、反射ミラー２２で反射されて赤色光用の液晶ライトバルブ４０Ｒを照明する。
【００２８】
第１のダイクロイックミラー２１で反射された光のうち、緑色光Ｇは、第２のダイクロイックミラー２３によって反射されて緑色光用の液晶ライトバルブ４０Ｇを照明する。また、青色光Ｂは、第２のダイクロイックミラー２３を透過し、リレー光学系３０を通過して、青色光用の液晶ライトバルブ４０Ｂを照明する。
【００２９】
なお、青色光Ｂの経路は、他の色光の経路に比べて長くなってしまうことから、光線束の発散によって液晶ライトバルブ４０Ｂへの照明効率が低下するのを抑制するために、青色光Ｂの経路には、リレー光学系３０が設けられている。
【００３０】
リレー光学系３０は、入射側レンズ３１と、第１の反射ミラー３２と、リレーレンズ３３と、第２の反射ミラー３４と、射出側レンズ３５とを備えている。色光分離光学系２０から射出した青色光Ｂは、入射側レンズ３１によってリレーレンズ３３の近傍で収束し、射出側レンズ３５に向けて発散する。
【００３１】
液晶ライトバルブ４０Ｒ，４０Ｇ，４０Ｂのそれぞれは、液晶パネル４１と、入射側偏光板４２と、射出側偏光板４３とを備えており、入射した光を変調して画像（光学像）を形成する。
図３は、本実施形態の液晶ライトバルブ４０Ｒ，４０Ｇ，４０Ｂの正面図である。
図３に示すように、液晶ライトバルブ４０Ｒ，４０Ｇ，４０Ｂは、一対の透明基板間に液晶が封入された液晶パネル４１を備えており、各透明基板の内面には、液晶に対して微小領域（画素４１Ｐ）毎に駆動電圧を印加可能な透明電極（画素電極）が所定の領域（変調可能領域としての画素領域４１Ａ）内にマトリクス状に形成されている。なお、本実施形態の液晶ライトバルブ４０Ｒ，４０Ｇ，４０Ｂは、画素領域４１Ａのアスペクト比（Ａｘ：Ａｙ）が４：３になっている。
【００３２】
図２に戻って、液晶パネル４１の入射側表面及び射出側表面には、それぞれ入射側偏光板４２及び射出側偏光板４３が貼り付けられている。入射側偏光板４２及び射出側偏光板４３は、それぞれ特定の偏光方向の偏光光のみを透過可能であり、入射側偏光板４２は、偏光変換素子１４によって揃えられた偏光方向の偏光光を透過可能となっている。このため、各液晶ライトバルブ４０Ｒ，４０Ｇ，４０Ｂに入射する各色光の大部分は入射側偏光板４２を透過して、液晶パネル４１に入射する。
【００３３】
ここで、液晶パネル４１の各画素４１Ｐに、画像信号に応じた駆動電圧が印加されると、液晶パネル４１の画素領域４１Ａに入射した光は、駆動電圧に応じて変調され、画素４１Ｐ毎に異なる偏光方向を有した偏光光となる。この偏光光のうち、射出側偏光板４３を透過可能な偏光成分のみが液晶ライトバルブ４０Ｒ，４０Ｇ，４０Ｂから射出される。つまり、液晶ライトバルブ４０Ｒ，４０Ｇ，４０Ｂが、画像信号に応じて、画素４１Ｐ毎に異なる透過率で入射光を透過させることによって、階調を有する光学像が色光毎に形成される。液晶ライトバルブ４０Ｒ，４０Ｇ，４０Ｂから射出した各色光からなる光学像は、クロスダイクロイックプリズム５０に入射する。
【００３４】
クロスダイクロイックプリズム５０は、各液晶ライトバルブ４０Ｒ，４０Ｇ，４０Ｂから射出された各色の光学像を、画素４１Ｐ毎に合成してカラー画像を表す光学像を形成する。クロスダイクロイックプリズム５０によって合成された光学像は、投写レンズ６０によって拡大投写されて、スクリーンＳＣ等に投写画像が表示される。
【００３５】
一方、図１に示すように、制御装置３は、制御部７０と、記憶部７１と、操作部７２と、レシーバ７３と、画質調整部７４と、画像処理部７５と、ＯＳＤ（オンスクリーンディスプレイ）処理部７６と、ＯＳＤメモリ７７と、ライトバルブ駆動部７８とを備えている。
【００３６】
制御部７０は、前記各部７１，７２，７４〜７６に接続されている。制御部７０は、コンピュータとしてのＣＰＵ（Central Processing Unit）等により構成されており、記憶部７１に記憶されている制御プログラムに従って、プロジェクタ１の動作を統括制御する。なお、制御部７０には、画像処理部７５に制御信号を出力して処理内容を指示可能な領域変更部７０ａ及び領域移動部７０ｂ、ＯＳＤ処理部７６に制御信号を出力して処理内容を指示可能なＯＳＤ制御部７０ｃ等が備えられている。
【００３７】
記憶部７１は、フラッシュＲＯＭ（Read Only Memory）等のメモリによって構成され、前記制御プログラムを記憶するとともに、各種設定値等の記憶に用いられる。
【００３８】
操作部７２には、電源のオン・オフや画質の調整等、プロジェクタ１に対して各種操作を行うためのスイッチやキー等が備えられている。なお、本実施形態のプロジェクタ１は、投写画像の拡縮率を変更可能な電子ズーム機能や、投写画像のアスペクト比を変更するためのアスペクト比変更機能、あおり投写等に起因する投写画像の台形歪を補正するため台形歪補正機能を備えており、操作部７２には、前記各機能の実行を指示するためのキーが備えられている。ユーザが操作部７２を操作すると、操作部７２は、操作内容に応じた操作信号を制御部７０に出力する。
【００３９】
レシーバ７３は、外部の画像供給装置（図示せず）からアナログ又はデジタルの画像信号を入力し、各色（Ｒ，Ｇ，Ｂ）毎の階調を表す画像データに変換して画質調整部７４に供給する。
【００４０】
画質調整部７４は、制御部７０からの指示に基づいて、入力した画像データに対して輝度、コントラスト、シャープネス、色合いの調整等を行い、画像処理部７５に出力する。
【００４１】
画像処理部７５は、制御部７０からの指示、即ち領域変更部７０ａ及び領域移動部７０ｂからの制御信号に基づいて、入力した画像データを変換し、液晶ライトバルブ４０Ｒ，４０Ｇ，４０Ｂの各画素４１Ｐに対応する階調値を導出することにより、全画素４１Ｐの階調値からなる画像データを生成する。
【００４２】
ここで、領域変更部７０ａが出力する制御信号には、投写画像の拡縮率（電子ズーム機能のズーム倍率）を表す電子ズーム情報、投写画像のアスペクト比を表すアスペクト比情報、投写画像の台形歪を補正するための台形歪補正情報等からなるサイズ情報が含まれており、領域移動部７０ｂが出力する制御信号には、投写画像の位置を表す位置情報が含まれている。
【００４３】
画像処理部７５は、前記サイズ情報に基づいて、液晶ライトバルブ４０Ｒ，４０Ｇ，４０Ｂの画素領域４１Ａ内に、画像信号に応じた第１の画像（以下、表示画像という）を形成する第１の形成領域（以下、表示画像形成領域という）のサイズや形状を変更することにより、電子ズーム機能、アスペクト比変更機能、台形歪補正機能を実現するとともに、前記位置情報に基づいて、前記表示画像形成領域の位置を画素領域４１Ａ内で移動させることにより、表示画像の投写位置を変更することが可能になっている。このため、領域変更部７０ａと画像処理部７５とが、本発明の形成領域変更手段として機能し、領域移動部７０ｂと画像処理部７５とが、本発明の形成領域移動手段として機能する。
【００４４】
図４（ａ）〜（ｅ）及び図５（ａ）、（ｂ）は、画像処理部７５での処理を説明するための説明図である。ここで、図４（ａ）〜（ｅ）は、サイズ情報に応じた処理を説明する説明図、図５（ａ）、（ｂ）は、位置情報に応じた処理を説明する説明図であり、いずれの図も、光源光の入射側正面から見た液晶ライトバルブ４０Ｒ，４０Ｇ，４０Ｂを示している。
【００４５】
例えば、領域変更部７０ａからのサイズ情報が、電子ズームの拡縮率が最大値（１００％）、アスペクト比が４：３、台形歪補正はなし、であることを示す場合には、画像処理部７５は、画素領域４１Ａ全体を表示画像形成領域４１Ｅとする（図４（ａ）参照）。
また、電子ズームの拡縮率が最大値未満の場合には、拡縮率（Ｅｘ／Ａｘ）に応じた大きさの領域を表示画像形成領域４１Ｅとし（図４（ｂ）参照）、アスペクト比が１６：９の場合には、アスペクト比（Ｅｘ：Ｅｙ）が１６：９となる領域を表示画像形成領域４１Ｅとする（図４（ｃ）参照）。また、アスペクト比が４：３で台形歪補正を行う場合には、投写画像がアスペクト比４：３の矩形形状となるような台形形状の領域を表示画像形成領域４１Ｅをとする（図４（ｄ）参照）。なお、図４（ｅ）は、電子ズームの拡縮率が最大値未満、アスペクト比が１６：９で、台形歪補正を実施する場合の表示画像形成領域４１Ｅを示している。
【００４６】
また、領域移動部７０ｂからの位置情報は、画素領域４１Ａ内での表示画像形成領域４１Ｅの移動方向を表す情報であり、ユーザが操作部７２に備えられた方向指示キー等によって表示画像形成領域４１Ｅの移動方向を指示すると、領域移動部７０ｂは、当該指示を位置情報として画像処理部７５に出力する。画像処理部７５は、入力した位置情報に従って、図５（ａ）、（ｂ）に示すように、指示された方向（例えば、＋Ｘ方向）に表示画像形成領域４１Ｅを移動させる。なお、本実施形態では、一度のキー操作（方向指示）により表示画像形成領域４１Ｅを指示方向に所定の画素分移動させ、ユーザが繰り返し或いは継続して方向指示キーを操作することにより、所望の量だけ移動させることができる。ただし、表示画像形成領域４１Ｅが画素領域４１Ａの境界に達した場合には、方向指示を継続しても、当該方向への移動はできないようになっている。
【００４７】
上述したように、画像処理部７５は、液晶ライトバルブ４０Ｒ，４０Ｇ，４０Ｂの画素領域４１Ａ内に、表示画像形成領域４１Ｅのサイズや形状、位置を定めた後、入力した画像データに対して間引き処理や補完処理を行って、表示画像形成領域４１Ｅの各画素４１Ｐに対応する階調値を生成する。また、画像の形成に寄与しない無効領域４１Ｎ（画素領域４１Ａ内で表示画像形成領域４１Ｅ以外の領域）の画素４１Ｐの階調値を０（透過率が最小となる値）として、画素領域４１Ａ内の全画素４１Ｐの階調値からなる画像データを生成し、生成した画像データをＯＳＤ処理部７６に出力する。
【００４８】
図１に戻って、ＯＳＤ処理部７６は、制御部７０の指示、即ちＯＳＤ制御部７０ｃからの制御信号に基づいて、メニュー画像やメッセージ画像等からなる第２の画像（以下、ＯＳＤ画像という）を、表示画像に重畳するための処理を行う。具体的には、ＯＳＤ制御部７０ｃは、表示するＯＳＤ画像を特定するためのＯＳＤ画像情報をＯＳＤ処理部７６に出力する。ＯＳＤ処理部７６は、ＯＳＤ画像情報に応じたＯＳＤ画像データをＯＳＤメモリ７７から読み出し、表示画像の所定の位置にＯＳＤ画像が重畳されるように、入力した画像データにこのＯＳＤ画像データを合成する。つまり、ＯＳＤ制御部７０ｃとＯＳＤ処理部７６とが、本発明の画像合成手段として機能する。
【００４９】
図６（ａ）〜（ｃ）は、画素領域４１Ａ内におけるＯＳＤ画像を形成するための第２の形成領域（以下、ＯＳＤ形成領域という）の位置（以下、ＯＳＤ形成位置という）を説明する説明図であり、（ａ）は、画素領域４１Ａ全体が表示画像形成領域４１Ｅである場合、（ｂ）は、アスペクト比が１６：９の表示画像形成領域４１Ｅが縮小かつ移動した場合、（ｃ）は、台形歪補正を行う場合、つまり表示画像形成領域４１Ｅが台形形状の場合を示している。
【００５０】
図６（ａ）、（ｂ）に示すように、本実施形態では、表示画像形成領域４１Ｅの中の９つの位置Ｐ１〜Ｐ９のいずれか１つが、ＯＳＤ形成位置としてＯＳＤ画像の内容に応じて選択されるようになっている。例えば、ＯＳＤ画像として入力ソース名を表示する場合には、表示画像形成領域４１Ｅ内の右上（位置Ｐ３）、各種メニューやヘルプ画面を表示する場合には、表示画像形成領域４１Ｅ内の中央（位置Ｐ５）、各種警告メッセージを表示する場合には、表示画像形成領域４１Ｅ内の左下（位置Ｐ７）、音量ゲージ等のゲージ表示の場合には、表示画像形成領域４１Ｅ内の下部中央（位置Ｐ８）がＯＳＤ形成位置として選択される。
【００５１】
ここで、位置Ｐ１，Ｐ３，Ｐ７，Ｐ９は、表示画像形成領域４１Ｅの各角部の近傍、位置Ｐ２，Ｐ４，Ｐ６，Ｐ８は、表示画像形成領域４１Ｅの各辺の中点の近傍であり、位置Ｐ５は、表示画像形成領域４１Ｅの中央である。つまり、各位置Ｐ１〜Ｐ９は、表示画像形成領域４１Ｅに対する相対位置として定められており、表示画像形成領域４１Ｅのサイズや形状、位置に応じて、画素領域４１Ａに対する位置（例えば、画素領域４１Ａの左上角部Ａ０を原点としたＸＹ座標における座標値）は異なる。
【００５２】
なお、図６（ｃ）に示すように、台形歪補正を行う場合のＯＳＤ形成位置は、台形形状の表示画像形成領域４１Ｅの上底及び下底と、前記上底及び下底のうち、短いほうの辺の両端から長いほうの辺に下ろした垂線とで囲まれた矩形領域に対する相対位置として定めるようにしている。つまり、台形歪補正を行う場合の位置Ｐ１，Ｐ３，Ｐ７，Ｐ９は、前記矩形領域の各角部近傍、位置Ｐ２，Ｐ４，Ｐ６，Ｐ８は、前記矩形領域の各辺の中点近傍であり、位置Ｐ５は、前記矩形領域の中央である。
【００５３】
図７（ａ）〜（ｃ）は、ＯＳＤ形成領域を示す説明図であり、具体例として、図６（ａ）〜（ｃ）に示した表示画像形成領域４１Ｅの左上（位置Ｐ１）をＯＳＤ形成位置とする場合を示している。
図７（ａ）〜（ｃ）に示すように、表示画像形成領域４１Ｅのサイズや形状、位置によって、画素領域４１Ａに対するＯＳＤ形成領域４１Ｓの位置（例えば、画素領域４１Ａの左上角部Ａ０を原点としたＸＹ座標におけるＯＳＤ形成領域４１Ｓの左上角部（Ｓ０）の座標値（Ｓ０ｘ，Ｓ０ｙ））が異なっている。
【００５４】
図１に戻って、ＯＳＤ処理部７６で合成された画像データは、ライトバルブ駆動部７８に出力される。なお、ＯＳＤ画像を表示しない場合には、上記合成処理を行わないため、画像処理部７５から出力される画像データが、そのままライトバルブ駆動部７８に供給される。
【００５５】
ライトバルブ駆動部７８は、ＯＳＤ処理部７６から入力した画像データに基づいて、液晶ライトバルブ４０Ｒ，４０Ｇ，４０Ｂを駆動する。即ち、画素領域４１Ａの各画素４１Ｐに、それぞれの階調値に応じた駆動電圧を印加することにより、液晶ライトバルブ４０Ｒ，４０Ｇ，４０Ｂの表示画像形成領域４１Ｅに画像を形成し、この液晶ライトバルブ４０Ｒ，４０Ｇ，４０Ｂに光源の光が照射されると、スクリーンＳＣ上に投写画像が表示される。
【００５６】
図８（ａ）〜（ｃ）は、スクリーンＳＣに表示された投写画像を示す正面図であり、それぞれ図７（ａ）〜（ｃ）に示した画素領域４１Ａから投写された投写画像を示している。
画素領域４１Ａ全体が表示画像形成領域４１Ｅの場合（図７（ａ）参照）、スクリーンＳＣには、図８（ａ）に示すように、画素領域４１Ａを透過した光の照射領域（以下、「投写領域ＧＡ」という。）の全体に表示画像ＧＥが表示される。また、アスペクト比が１６：９の表示画像形成領域４１Ｅが縮小かつ移動した場合（図７（ｂ）参照）には、図８（ｂ）に示すように、表示画像形成領域４１Ｅのアスペクト比や拡縮率に応じた形状・サイズで、表示画像形成領域４１Ｅの移動量に応じた位置に表示画像ＧＥが表示される。また、台形歪補正を行っている場合（図７（ｃ）参照）には、図８（ｃ）に示すように、投写領域ＧＡは台形形状に歪むものの、表示画像ＧＥは略矩形に表示される。ここで、図８（ｂ）、（ｃ）における投写領域ＧＡ内で表示画像ＧＥの外側の領域ＧＮは、画素４１Ｐの透過率が最小に設定された無効領域４１Ｎに対応する領域であるため、ほとんど光が照射されない黒色領域となる。また、各図において、表示画像形成領域４１Ｅの左上には、ＯＳＤ形成領域４１Ｓに対応して、ＯＳＤ画像ＧＳが重畳されている。
【００５７】
ここで、画素領域４１Ａに対するＯＳＤ形成領域４１Ｓの位置の決定方法について詳述する。
ＯＳＤ処理部７６は、ＯＳＤ制御部７０ｃからＯＳＤ画像情報を入力すると、ＯＳＤメモリ７７から当該ＯＳＤ画像情報に基づくＯＳＤ画像データを読み出す。ＯＳＤメモリ７７には、各ＯＳＤ画像データに関連付けられて、ＯＳＤ画像のサイズ情報、つまり、ＯＳＤ形成領域４１Ｓの横寸法Ｓｘ及び縦寸法Ｓｙ（以下、ＯＳＤサイズ情報という）、及びＯＳＤ画像を表示すべき相対位置（ＯＳＤ形成位置）を表すＯＳＤ位置情報（図６に示したＰ１〜Ｐ９のいずれか１つを示す情報）が記憶されており、ＯＳＤ処理部７６は、ＯＳＤメモリ７７からＯＳＤ画像データとともにＯＳＤサイズ情報及びＯＳＤ位置情報を取得する。
【００５８】
また、ＯＳＤ処理部７６は、画像処理部７５から表示画像形成領域４１Ｅの位置情報やサイズ情報を入力する。具体的には、表示画像形成領域４１Ｅが矩形形状の場合、表示画像形成領域４１Ｅの位置を表す情報として、例えば、図４又は図５に示したように、画素領域４１Ａの左上角部を原点Ａ０とし、右向きを＋Ｘ方向、下向きを＋Ｙ方向としたＸＹ座標における表示画像形成領域４１Ｅの左上角部（基準点Ｅ０）の座標値（Ｅ０ｘ，Ｅ０ｙ）を取得するとともに、表示画像形成領域４１Ｅのサイズを表す情報として、その横寸法Ｅｘと縦寸法Ｅｙとを取得する。一方、表示画像形成領域４１Ｅが台形形状の場合、つまり台形歪補正を行う場合には、図９（ａ）〜（ｄ）に示すように、台形形状の表示画像形成領域４１Ｅの上底及び下底と、前記上底及び下底のうち、短いほうの辺の両端から長いほうの辺に下ろした垂線とで囲まれた矩形領域の左上角部を基準点Ｅ０として、その座標値（Ｅ０ｘ，Ｅ０ｙ）を取得するとともに、前記矩形領域の横寸法Ｅｘと縦寸法Ｅｙとを取得する。
【００５９】
ＯＳＤ処理部７６は、ＯＳＤメモリ７７から読み出したＯＳＤ形成領域の寸法Ｓｘ，Ｓｙ及びＯＳＤ位置情報（Ｐ１〜Ｐ９のいずれか１つ）と、画像処理部７５から取得した基準点Ｅ０の座標値（Ｅ０ｘ，Ｅ０ｙ）及び表示画像形成領域４１Ｅ（又は矩形領域）の寸法Ｅｘ，Ｅｙとから、画素領域４１Ａに対するＯＳＤ形成領域４１Ｓの位置を決定する。
図１０〜図１２は、画素領域４１Ａに対するＯＳＤ形成領域４１Ｓの位置の決定方法を説明する説明図であり、ＯＳＤ位置情報が示すＯＳＤ形成位置が、それぞれ位置Ｐ１，Ｐ５，Ｐ９である場合の例を説明する図である。
【００６０】
図１０に示すように、ＯＳＤ形成領域４１Ｓを位置Ｐ１（図６参照）に設定する際には、ＯＳＤ形成領域４１Ｓの左上角部（以下、ＯＳＤ基準点Ｓ０という）が、表示画像形成領域４１Ｅの基準点Ｅ０からＸ方向に距離ＣL、Ｙ方向に距離ＣTだけ離れた位置となるように決定する。ここで、距離ＣL、ＣTは、それぞれ表示画像形成領域４１Ｅに対するＯＳＤ形成領域４１Ｓの左端オフセット量、上端オフセット量であり、ＯＳＤ画像ＧＳが表示画像ＧＥの端部（境界）に接して表示されることによる視認性の低下を抑制するために、ＯＳＤ画像ＧＳを各端部から所定距離だけ隔てて表示させるための隙間である。
【００６１】
つまり、位置Ｐ１にＯＳＤ形成領域４１Ｓを設定する際のＯＳＤ基準点Ｓ０の座標（Ｓ０ｘ，Ｓ０ｙ）は、次式で表すことができる。
Ｓ０ｘ＝Ｅ０ｘ＋ＣL  …（１）
Ｓ０ｙ＝Ｅ０ｙ＋ＣT  …（２）
なお、ＯＳＤ形成位置が位置Ｐ４，Ｐ７である場合のＯＳＤ基準点Ｓ０のＸ座標Ｓ０ｘも、上記式（１）で表され、ＯＳＤ形成位置が位置Ｐ２，Ｐ３である場合のＯＳＤ基準点Ｓ０のＹ座標Ｓ０ｙも、上記式（２）で表される。
【００６２】
また、図１１に示すように、ＯＳＤ形成領域４１Ｓを表示画像形成領域４１Ｅの中央、即ち位置Ｐ５（図６参照）に設定する際には、表示画像形成領域４１Ｅの中央と、ＯＳＤ形成領域４１Ｓの中央とが一致するようにする。このとき、ＯＳＤ基準点Ｓ０の座標（Ｓ０ｘ，Ｓ０ｙ）は、次式で表すことができる。
Ｓ０ｘ＝Ｅ０ｘ＋Ｅｘ／２−Ｓｘ／２  …（３）
Ｓ０ｙ＝Ｅ０ｙ＋Ｅｙ／２−Ｓｙ／２  …（４）
なお、ＯＳＤ形成位置が位置Ｐ２，Ｐ８である場合のＯＳＤ基準点Ｓ０のＸ座標Ｓ０ｘも、上記式（３）で表され、ＯＳＤ形成位置が位置Ｐ４，Ｐ６である場合のＯＳＤ基準点Ｓ０のＹ座標Ｓ０ｙも、上記式（４）で表される。
【００６３】
さらに、図１２に示すように、ＯＳＤ形成領域４１Ｓを表示画像形成領域４１Ｅの右下、即ち位置Ｐ９（図６参照）に設定する際には、ＯＳＤ形成領域４１Ｓの右下角部が表示画像形成領域４１Ｅの右下角部からＸ方向に距離ＣR（右端オフセット量）、Ｙ方向に距離ＣB（下端オフセット量）だけ離れた位置となるように決定する。このとき、ＯＳＤ基準点Ｓ０の座標（Ｓ０ｘ，Ｓ０ｙ）は、次式で表すことができる。
Ｓ０ｘ＝Ｅ０ｘ＋Ｅｘ−ＣR−Ｓｘ  …（５）
Ｓ０ｙ＝Ｅ０ｙ＋Ｅｙ−ＣB−Ｓｙ  …（６）
なお、ＯＳＤ形成位置が位置Ｐ３，Ｐ６である場合のＯＳＤ基準点Ｓ０のＸ座標Ｓ０ｘも、上記式（５）で表され、ＯＳＤ形成位置が位置Ｐ７，Ｐ８である場合のＯＳＤ基準点Ｓ０のＹ座標Ｓ０ｙも、上記式（６）で表される。
【００６４】
なお、電子ズーム機能により表示画像形成領域４１Ｅを小さくした状態で、大きなＯＳＤ形成領域４１Ｓを設定する場合には、ＯＳＤ形成領域４１Ｓが表示画像形成領域４１Ｅからはみ出してしまう場合が生じうる。
図１３は、ＯＳＤ形成領域４１Ｓが表示画像形成領域４１Ｅからはみ出す場合の例を示す説明図であり、（ａ）は、表示画像形成領域４１Ｅが画素領域４１Ａの略中央にある場合、（ｂ）は、表示画像形成領域４１Ｅが画素領域４１Ａの境界に接するように位置する場合を示している。このＯＳＤ形成領域４１Ｓは、表示画像形成領域４１Ｅの中央（位置Ｐ５）に配置されるようになっており、ＯＳＤ基準点Ｓ０の座標値（Ｓ０ｘ、Ｓ０ｙ）は、上記式（３）、（４）によって算出される。ここで、図１３（ａ）に示すように、ＯＳＤ形成領域４１Ｓの横幅Ｓｘが表示画像形成領域４１Ｅの横幅Ｅｘよりも大きいため、表示画像形成領域４１Ｅの左右からＯＳＤ形成領域４１Ｓがはみ出している。
【００６５】
しかし、図１３（ｂ）に示すように、表示画像形成領域４１Ｅが画素領域４１Ａの左側境界に接した状態で、このＯＳＤ形成領域４１Ｓを設定する際には、上記式（３）で算出されるＸ座標値Ｓ０ｘが負の値となってしまう。このように、上記式（１）〜（６）で算出された座標値が、画素領域４１Ａの外側になる場合、即ち、座標値Ｓ０ｘ，Ｓ０ｙが負の値となるか、或いは、ＯＳＤ基準点Ｓ０の対角点Ｓ１の座標値Ｓ０ｘ＋Ｓｘ、Ｓ０ｙ＋Ｓｙがそれぞれ画素領域４１Ａの寸法Ａｘ，Ａｙを上回る場合には、ＯＳＤ形成領域４１Ｓが画素領域４１Ａ内に収まるように補正を行う必要がある。本実施形態では、Ｓ０ｘ＜０の場合は、Ｓ０ｘ＝０、Ｓ０ｙ＜０の場合は、Ｓ０ｙ＝０、Ｓ０ｘ＋Ｓｘ＞Ａｘの場合は、Ｓ０ｘ＝Ａｘ−Ｓｘ、Ｓ０ｙ＋Ｓｙ＞Ａｙの場合には、Ｓ０ｙ＝Ａｙ−Ｓｙとすることにより、図１３（ｂ）に示すように、ＯＳＤ形成領域４１Ｓを画素領域４１Ａ内に収めるようにしている。
【００６６】
以上説明したように、本実施形態のプロジェクタ１によれば、以下の効果を得ることができる。
【００６７】
（１）本実施形態のプロジェクタ１によれば、上記式（３）〜（６）に示すように、ＯＳＤ処理部７６が、画像処理部７５によって変更された表示画像形成領域４１Ｅのサイズ又は形状、即ち横寸法Ｅｘ及び縦寸法Ｅｙに応じて、画素領域４１Ａ内におけるＯＳＤ形成領域４１Ｓの位置（座標値Ｓ０ｘ，Ｓ０ｙ）を変更するため、表示画像形成領域４１Ｅのサイズや形状に拘わらず、表示画像形成領域４１Ｅに対するＯＳＤ形成領域４１Ｓの相対位置を略固定とすることが可能となる。この結果、ＯＳＤ画像ＧＳが表示画像ＧＥからはみ出すのを抑制することが可能となる。
【００６８】
（２）本実施形態のプロジェクタ１によれば、上記式（１）〜（６）に示すように、ＯＳＤ処理部７６が、画像処理部７５によって変更された表示画像形成領域４１Ｅの位置、即ち基準点Ｅ０の座標値Ｅ０ｘ，Ｅ０ｙに応じて、画素領域４１Ａ内におけるＯＳＤ形成領域４１Ｓの位置（座標値Ｓ０ｘ，Ｓ０ｙ）を変更するため、表示画像形成領域４１Ｅの位置に拘わらず、表示画像形成領域４１Ｅに対するＯＳＤ形成領域４１Ｓの相対位置を略固定とすることが可能となる。この結果、ＯＳＤ画像ＧＳが表示画像ＧＥからはみ出すのを抑制することが可能となる。
【００６９】
（３）本実施形態のプロジェクタ１によれば、上記式（３）〜（６）に示すように、ＯＳＤ処理部７６が、ＯＳＤ形成領域４１Ｓのサイズ（横寸法Ｓｘ、縦寸法Ｓｙ）に応じて、画素領域４１Ａ内におけるＯＳＤ形成領域４１Ｓの位置（座標値Ｓ０ｘ，Ｓ０ｙ）を変更するため、ＯＳＤ画像ＧＳが表示画像ＧＥからはみ出すのをさらに抑制することが可能となる。
【００７０】
（４）本実施形態のプロジェクタ１によれば、台形歪補正を行う場合、台形形状の表示画像形成領域４１Ｅ上に定めた矩形領域のサイズや形状、位置に応じて画素領域４１Ａ内におけるＯＳＤ形成領域４１Ｓの位置を変更するため、表示画像形成領域４１Ｅが矩形形状の場合と同様の手順でＯＳＤ形成領域４１Ｓの位置（座標値Ｓ０ｘ，Ｓ０ｙ）を決定することが可能となる。この結果、台形歪を補正する場合でも、容易にＯＳＤ形成領域４１Ｓの位置を決定することが可能となる。
【００７１】
（変形例）
なお、本発明の実施形態は、以下のように変更してもよい。
・前記実施形態では、ＯＳＤ形成位置が、表示画像形成領域４１Ｅの中の９つの位置Ｐ１〜Ｐ９から選択されるようになっているが、ＯＳＤ形成位置は前記９つに限定されず、位置やその数は、適宜定めればよい。
【００７２】
・前記実施形態では、垂直方向又は水平方向の台形歪補正を行う場合の矩形領域の決定方法を示している（図９参照）が、プロジェクタ１が任意の方向の歪、即ち垂直方向の台形歪と水平方向の台形歪とが合成された歪を補正可能な場合にも、適宜矩形領域を定めればよい。例えば、図１４に示すように、表示画像形成領域４１Ｅの各頂点から表示画像形成領域４１Ｅ内にＸ軸及びＹ軸に平行な線を引き、これらの平行線で囲まれた領域を矩形領域としてもよい。
【００７３】
・前記実施形態では、台形歪補正を行う場合に、台形形状の表示画像形成領域４１Ｅの上底及び下底と、前記上底及び下底のうち、短いほうの辺の両端から長いほうの辺に下ろした垂線とで囲まれた矩形領域形を基準にＯＳＤ形成領域４１Ｓの位置を定めているが、矩形領域の定め方は前記に限定されない。また、必ずしも矩形領域を定める必要はなく、例えば、台形（表示画像形成領域４１Ｅ）の各頂点や各辺の中点を基準にしてもよい。
なお、前記実施形態のように、台形形状の表示画像形成領域４１Ｅ上に定めた矩形領域を基準にＯＳＤ形成領域４１Ｓの位置を定める場合には、ＯＳＤ形成位置Ｐ１〜Ｐ９に応じてオフセット量ＣL，ＣR，ＣT，ＣBを増減するようにしてもよい。例えば、図６に示すように、位置Ｐ１と位置Ｐ７とでは、表示画像形成領域４１Ｅの左側境界線（斜辺）との距離が異なってしまうが、左端オフセット量ＣLを増減することにより、左側境界線からの距離を略均一にすることが可能となる。
【００７４】
・前記実施形態では、電子ズーム機能、アスペクト比変更機能、台形歪補正機能は、いずれも、ユーザが操作部７２を操作して指示することにより実行可能になっているが、例えば、入力した画像信号のアスペクト比を認識可能なアスペクト比認識手段を備え、画像信号の入力と連動して投写画像のアスペクト比変更を実行可能な構成としてもよい。また、プロジェクタの傾きを検知可能な傾き検知手段や、投写画像の形状を認識可能な台形歪検知手段を備え、これらの検知動作と連動して台形歪補正を実行する構成としてもよい。
【００７５】
・前記実施形態では、画素領域４１Ａ内に、表示画像形成領域４１Ｅのサイズや形状、位置を定め、画素領域４１Ａ内の全画素４１Ｐの階調値からなる画像データを生成した後、ＯＳＤ形成領域４１Ｓを定めてＯＳＤ画像データを合成しているが、合成する順序は前記に限定されない。例えば、表示画像形成領域４１Ｅのサイズや形状、位置に応じてＯＳＤ形成領域４１Ｓを定め、このＯＳＤ形成領域４１Ｓ内にＯＳＤ画像データを設定した後に、表示画像を表す画像データを合成するようにしてもよい。
【００７６】
・前記実施形態では、光変調装置として、透過型の液晶ライトバルブ４０Ｒ，４０Ｇ，４０Ｂを用いているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００７７】
【図１】実施形態に係るプロジェクタの概略構成を示すブロック図。
【図２】光学装置の詳細を説明するための構成図。
【図３】液晶ライトバルブの正面図。
【図４】（ａ）〜（ｅ）は、画像処理部でのサイズ情報に応じた処理を説明するための説明図。
【図５】（ａ）、（ｂ）は、画像処理部での位置情報に応じた処理を説明するための説明図。
【図６】（ａ）〜（ｃ）は、ＯＳＤ形成位置を説明する説明図。
【図７】（ａ）〜（ｃ）は、ＯＳＤ形成領域を示す説明図。
【図８】（ａ）〜（ｃ）は、スクリーンに表示された投写画像を示す正面図。
【図９】（ａ）〜（ｄ）は、台形歪補正を行う場合の矩形領域を示す説明図。
【図１０】画素領域に対するＯＳＤ形成領域の位置の決定方法を説明する説明図。
【図１１】画素領域に対するＯＳＤ形成領域の位置の決定方法を説明する説明図。
【図１２】画素領域に対するＯＳＤ形成領域の位置の決定方法を説明する説明図。
【図１３】（ａ）、（ｂ）は、ＯＳＤ形成領域が表示画像形成領域からはみ出す場合の例を示す説明図。
【図１４】垂直方向の台形歪と水平方向の台形歪とが合成された歪を補正する場合の矩形領域を示す説明図。
【符号の説明】
【００７８】
１…プロジェクタ、２…光学装置、３…制御装置、１０…照明光学系、１１…光源、１２…第１のレンズアレイ、１３…第２のレンズアレイ、１４…偏光変換素子、１５…重畳レンズ、２０…色光分離光学系、２１…ダイクロイックミラー、２２…反射ミラー、２３…ダイクロイックミラー、３０…リレー光学系、３１…入射側レンズ、３２…反射ミラー、３３…リレーレンズ、３４…反射ミラー、３５…射出側レンズ、４０Ｒ，４０Ｇ，４０Ｂ…液晶ライトバルブ、４１…液晶パネル、４１Ａ…画素領域、４１Ｅ…表示画像形成領域、４１Ｎ…無効領域、４１Ｐ…画素、４１Ｓ…ＯＳＤ形成領域、４２…入射側偏光板、４３…射出側偏光板、５０…クロスダイクロイックプリズム、６０…投写レンズ、７０…制御部、７０ａ…領域変更部、７０ｂ…領域移動部、７０ｃ…ＯＳＤ制御部、７１…記憶部、７２…操作部、７３…レシーバ、７４…画質調整部、７５…画像処理部、７６…ＯＳＤ処理部、７７…ＯＳＤメモリ、７８…ライトバルブ駆動部、ＧＡ…投写領域、ＧＥ…表示画像、ＧＳ…ＯＳＤ画像。
【図１】
2006295361.tif 000003
【図２】
2006295361.tif 000004
【図３】
2006295361.tif 000005
【図４】
2006295361.tif 000006
【図５】
2006295361.tif 000007
【図６】
2006295361.tif 000008
【図７】
2006295361.tif 000009
【図８】
2006295361.tif 000010
【図９】
2006295361.tif 000011
【図１０】
2006295361.tif 000012
【図１１】
2006295361.tif 000013
【図１２】
2006295361.tif 000014
【図１３】
2006295361.tif 000015
【図１４】
2006295361.tif 000016